(57)【要約】【課題】ＩＰ電話装置の内部設定を容易且つ間違い無く行なえるＩＰ電話システムを提供する。【解決手段】複数の電話装置の設定を記憶管理する電話システムのデータベースを用いて接続されたＩＰ電話装置の発着呼を管理する主装置と、ネットワーク設定情報と電話装置設定情報とを記憶保持する外部記憶装置と、外部記憶装置との接続に使用する第１のインタフェース部と、ネットワークとの接続に使用する第２のインタフェース部とを有するＩＰ電話装置とを備え、外部記憶装置を第１のインタフェース部に接続して、内部設定を自動的に行なう場合に、ＩＰ電話装置は、外部記憶装置からネットワーク設定情報及び電話装置設定情報を取得し、取得したネットワーク設定情報及び電話装置設定情報に基づいて、ネットワーク設定及び電話装置設定を実施し、設定に基づき第２のインタフェース部を介して主装置にアクセスして、設定した内容の確認を実施することとした。【選択図】図１
2010147837.tif 000002
【特許請求の範囲】
【請求項１】
発着呼を管理する主装置にネットワークを介して接続されたＩＰ電話装置であって、
外部記憶装置との接続に使用する第１のインタフェース部と、
ネットワークとの接続に使用する第２のインタフェース部と、
内部設定を行なう場合に、前記第１のインタフェース部を介して接続されたネットワーク設定情報と電話装置設定情報とを記憶保持する外部記憶装置から、ネットワーク設定情報及び電話装置設定情報を取得して設定処理すると共に、
設定したネットワーク設定情報に基づき、前記第２のインタフェース部を介して前記主装置にアクセスし、設定した内容の確認を実施する制御部とを
備えることを特徴とするＩＰ電話装置。
【請求項２】
請求項１記載のＩＰ電話装置であって、
前記制御部は、
前記外部記憶装置に、ネットワーク設定情報及び／又は電話装置設定情報と共に登録フラグが設定されていた場合に、
前記登録フラグを参照して、未登録のネットワーク設定情報及び／又は電話装置設定情報の内部設定を行なう
ことを特徴とするＩＰ電話装置。
【請求項３】
請求項１又は２に記載のＩＰ電話装置であって、
前記制御部は、前記主装置にアクセスして行なう設定した内容の確認として、前記主装置に対して、設定した電話装置設定情報を通知することを特徴とするＩＰ電話装置。
【請求項４】
請求項１又は２に記載のＩＰ電話装置であって、
前記制御部は、前記主装置にアクセスして行なう設定した内容の確認として、前記主装置に記憶保持されている電話システムのデータベースを参照して、干渉する登録データの有無を確認することを特徴とするＩＰ電話装置。
【請求項５】
請求項１ないし４の何れかに一記載のＩＰ電話装置であって、
前記制御部は、設定の確認の結果、干渉するＩＰ電話装置がある場合に、設定したネットワーク設定情報及び／又は電話装置設定情報を初期化する
ことを特徴とするＩＰ電話装置。
【請求項６】
請求項１ないし４の何れかに一記載のＩＰ電話装置であって、
前記制御部は、設定の確認の結果、干渉するＩＰ電話装置がある場合に、干渉相手のＩＰ電話装置（既登録ＩＰ電話装置）の設定を初期化する要求を前記主装置に通知する
ことを特徴とするＩＰ電話装置。
【請求項７】
請求項１ないし６の何れかに一記載のＩＰ電話装置であって、
前記第１のインタフェース部は、フラッシュメモリを用いる外部記憶装置を接続するインタフェース部であり、
前記第２のインタフェース部は、有線又は無線ＬＡＮに接続するためのインタフェース部である
ことを特徴とするＩＰ電話装置。
【請求項８】
複数の電話装置の設定を記憶管理する電話システムのデータベースを用いてネットワークに接続されたＩＰ電話装置の発着呼を管理する主装置と、
ネットワーク設定情報と電話装置設定情報とを記憶保持する外部記憶装置と、
前記外部記憶装置との接続に使用する第１のインタフェース部と、ネットワークとの接続に使用する第２のインタフェース部とを有するＩＰ電話装置と
を備え、
前記外部記憶装置を前記第１のインタフェース部に接続して、内部設定を自動的に行なう場合に、
前記ＩＰ電話装置は、
前記外部記憶装置からネットワーク設定情報及び電話装置設定情報を取得し、
前記取得した前記ネットワーク設定情報及び前記電話装置設定情報に基づいて、ネットワーク設定及び電話装置設定を実施し、
設定に基づき前記第２のインタフェース部を介して前記主装置にアクセスして、設定した内容の確認を実施する
ことを特徴とするＩＰ電話システム。
【請求項９】
請求項８記載のＩＰ電話システムであって、
前記ＩＰ電話装置は、
前記外部記憶装置に、ネットワーク設定情報及び／又は電話装置設定情報と共に登録フラグが設定されていた場合に、
前記登録フラグを参照して、未登録のネットワーク設定情報及び／又は電話装置設定情報の内部設定を行ない、
全ての自動設定処理が完了後、前記登録フラグを登録済みに変更する
ことを特徴とするＩＰ電話システム。
【請求項１０】
請求項８又は９に記載のＩＰ電話システムであって、
前記ＩＰ電話装置は、前記主装置にアクセスして行なう設定した内容の確認として、前記主装置に対して、設定した電話装置設定情報を通知し、
前記主装置は、通知された電話装置設定情報と前記データベースに登録されている情報とを参照して、干渉するＩＰ電話装置の有無を確認する
ことを特徴とするＩＰ電話システム。
【請求項１１】
請求項８又は９に記載のＩＰ電話システムであって、
前記ＩＰ電話装置は、前記主装置にアクセスして行なう設定した内容の確認として、前記主装置に記憶保持されている電話システムのデータベースを参照して、干渉するＩＰ電話装置の有無を確認することを特徴とするＩＰ電話システム。
【請求項１２】
請求項８ないし１１の何れかに一記載のＩＰ電話システムであって、
前記ＩＰ電話装置又は前記主装置は、設定の確認の結果、干渉するＩＰ電話装置がある場合に、設定したネットワーク設定情報及び／又は電話装置設定情報を初期化する
ことを特徴とするＩＰ電話システム。
【請求項１３】
請求項８ないし１１の何れかに一記載のＩＰ電話システムであって、
前記ＩＰ電話装置又は前記主装置は、設定の確認の結果、干渉するＩＰ電話装置がある場合に、干渉相手のＩＰ電話装置（既登録ＩＰ電話装置）の設定を初期化する
ことを特徴とするＩＰ電話システム。
【請求項１４】
請求項８ないし１３の何れかに一記載のＩＰ電話システムであって、
前記第１のインタフェース部は、フラッシュメモリを用いる外部記憶装置を接続するインタフェース部であり、
前記第２のインタフェース部は、有線又は無線ＬＡＮに接続するためのインタフェース部である
ことを特徴とするＩＰ電話システム。
【請求項１５】
発着呼を管理する主装置を有するＩＰ電話システムで用いられる外部記憶装置を接続可能なＩＰ電話装置の設定確認方法であって、
前記ＩＰ電話装置にネットワーク設定情報と電話装置設定情報とを記憶保持する外部記憶装置を接続して、内部設定を行なう場合に、
前記外部記憶装置からネットワーク設定情報及び電話装置設定情報を取得し、
前記取得した前記ネットワーク設定情報及び前記電話装置設定情報に基づいて、ネットワーク設定及び電話装置設定を実施し、
設定に基づいて前記主装置にアクセスして、設定した情報の確認を実施する
ことを特徴とする設定確認方法。
【請求項１６】
請求項１５記載の設定確認方法であって、
前記ＩＰ電話装置は、前記外部記憶装置に、ネットワーク設定情報及び／又は電話装置設定情報と共に登録フラグが設定されていた場合に、
前記登録フラグを参照して、未登録のネットワーク設定情報及び／又は電話装置設定情報の内部設定を行ない、
全ての自動設定処理が完了後、前記登録フラグを登録済みに変更する
ことを特徴とする設定確認方法。
【請求項１７】
請求項１５又は１６に記載の設定確認方法であって、
前記ＩＰ電話装置は、前記主装置にアクセスして行なう設定した内容の確認として、前記主装置に対して、設定した電話装置設定情報を通知し、
前記主装置は、通知された電話装置設定情報とデータベースに登録されている情報とを参照して、干渉するＩＰ電話装置の有無を確認する
ことを特徴とする設定確認方法。
【請求項１８】
請求項１５又は１６に記載の設定確認方法であって、
前記ＩＰ電話装置は、前記主装置にアクセスして行なう設定した内容の確認として、前記主装置に記憶保持されているデータベースを参照して、干渉するＩＰ電話装置の有無を確認することを特徴とする設定確認方法。
【請求項１９】
請求項１５ないし１８の何れかに一記載の設定確認方法であって、
前記ＩＰ電話装置又は前記主装置は、設定の確認の結果、干渉するＩＰ電話装置がある場合に、設定したネットワーク設定情報及び／又は電話装置設定情報を初期化する
ことを特徴とする設定確認方法。
【請求項２０】
請求項１５ないし１８の何れかに一記載の設定確認方法であって、
前記ＩＰ電話装置又は前記主装置は、設定の確認の結果、干渉するＩＰ電話装置がある場合に、干渉相手のＩＰ電話装置（既登録ＩＰ電話装置）の設定を初期化する
ことを特徴とする設定確認方法。
【発明の詳細な説明】
【技術分野】
【０００１】
本発明は、ＩＰ（Internet Protocol）電話システムに関し、詳しくは、ＩＰ電話装置の設定及びその確認方法に関する。
【背景技術】
【０００２】
昨今、ビジネスにおいて、多くのＩＰ電話装置（ＩＰ電話端末）を、主装置において管理するＩＰ電話システムが使用されている。  
主装置は、管理するＩＰ電話システム内のＩＰ電話装置に関するデータベースを用い、例えば、外線及び内線の発着呼管理や、電話帳機能の提供、短縮ダイヤル機能の提供などを行なっている。このような主装置を用いるＩＰ電話システムでは、ＩＰ電話システムの導入（立ち上げ）時や、ＩＰ電話装置の追加時、ＩＰ電話装置の設定変更時等に、管理者（設置者）等によって、多くの設定が必要である。
【０００３】
ＩＰ電話システムに関連する技術は、例えば、特許文献１及び２に記載されている。  
特許文献１には、ＬＡＮ（Local Area Network）への接続に使用するインタフェース部を有するＩＰ電話装置と、そのＩＰ電話装置が接続されるＩＰ電話システムが記載されている。また、特許文献１には、ＩＰ電話装置のネットワーク設定と、管理装置（主装置）へのＩＰ電話装置の登録と、ＩＰ電話装置の初期設定（内部設定）が必須であることが記載されている（[０００３]〜[０００５]参照）。  
特許文献２には、ＩＰ電話機がネットワーク設定をサーバ群より自動取得して実施するＩＰ電話システムが記載されている。また、複数のＩＰ電話装置を収容して外線との交換を行なう主装置が記載されている。  
尚、特許文献１及び特許文献２に記載されたＩＰ電話システムは、共に、ＤＨＣＰ（Dynamic Host Configuration Protocol）を用いてＩＰ電話装置にＩＰアドレスを割当てている。他方、現行のＩＰ電話システムには、ＤＨＣＰを用いずに、固定ＩＰアドレスを用いることもある。
【０００４】
【特許文献１】特開２００５−２７７６９４号公報
【特許文献２】特開２００６−３３９８０３号公報
【発明の開示】
【発明が解決しようとする課題】
【０００５】
一般的なＩＰ電話システムでは、導入の際に次のような課題がある。  
ＩＰ電話装置の設置および接続のため、管理者がＩＰ電話装置一台一台に対して、手動で多くのネットワーク設定を行わなければならないという課題がある。即ち、ＩＰ電話装置をネットワークに接続する為に、ＤＨＣＰサーバ等のネットワーク管理サーバや、主装置等のＩＰ電話装置管理サーバのロケーション情報（ＩＰアドレスやゲートウェイアドレス等）などを、ネットワーク設定情報として、ＩＰ電話装置に設定する必要がある。また、必要に応じてネットワークＩＤとパスワードもＩＰ電話装置に設定する必要がある。  
そのため、特許文献１には、ＤＨＣＰサーバを用いてネットワーク設定を行うことが記載されている。また、特許文献２のＩＰ電話システムでは、ＤＨＣＰサーバとＦＴＰサーバとを用いて、ネットワーク設定等を行なっている。
【０００６】
しかしながら、特許文献１及び２に記載されたＩＰ電話システムでは、ＤＨＣＰを使用する為、固定ＩＰアドレスを使用できない。また、サブネットマスクやＤＮＳなどを、ＩＰ電話装置毎に緻密に設定できない。  
また、ＩＰ電話装置と内線番号等の割当は、パーソナルコンピュータなどを用いて人為的に割振られる為、設置台数が増えるごとに人為的な誤設定の確率が上がる問題がある。
【０００７】
本発明の目的は、上記問題に鑑み、ＩＰ電話システムに接続するＩＰ電話装置の詳細なネットワーク設定を自動的に設定できるＩＰ電話システムを提供することにある。  
また、本発明の別の目的は、ＩＰ電話システムに接続するＩＰ電話装置の設定と確認を容易にできるＩＰ電話システムを提供することにある。
【課題を解決するための手段】
【０００８】
本願発明のＩＰ電話システムは、複数の電話装置の設定を記憶管理する電話システムのデータベースを用いてネットワークに接続されたＩＰ電話装置の発着呼を管理する主装置と、ネットワーク設定情報と電話装置設定情報とを記憶保持する外部記憶装置と、前記外部記憶装置との接続に使用する第１のインタフェース部と、ネットワークとの接続に使用する第２のインタフェース部とを有するＩＰ電話装置とを備え、前記外部記憶装置を前記第１のインタフェース部に接続して、内部設定を自動的に行なう場合に、前記ＩＰ電話装置は、前記外部記憶装置からネットワーク設定情報及び電話装置設定情報を取得し、前記取得した前記ネットワーク設定情報及び前記電話装置設定情報に基づいて、ネットワーク設定及び電話装置設定を実施し、設定に基づき前記第２のインタフェース部を介して前記主装置にアクセスして、設定した内容の確認を実施することを特徴とする。
【０００９】
本願発明のＩＰ電話装置は、発着呼を管理する主装置にネットワークを介して接続されたＩＰ電話装置であって、外部記憶装置との接続に使用する第１のインタフェース部と、ネットワークとの接続に使用する第２のインタフェース部と、内部設定を行なう場合に、前記第１のインタフェース部を介して接続されたネットワーク設定情報と電話装置設定情報とを記憶保持する外部記憶装置から、ネットワーク設定情報及び電話装置設定情報を取得して設定処理すると共に、設定したネットワーク設定情報に基づき、前記第２のインタフェース部を介して前記主装置にアクセスし、設定した内容の確認を実施する制御部とを備えることを特徴とする。
【発明の効果】
【００１０】
本発明によれば、ＩＰ電話システムに接続するＩＰ電話装置の詳細なネットワーク設定を自動的に設定できるＩＰ電話システムを提供できる。  
また、本発明によれば、ＩＰ電話システムに接続するＩＰ電話装置の設定と確認を容易にできるＩＰ電話システムを提供できる。
【発明を実施するための最良の形態】
【００１１】
本発明の実施の形態を図１ないし図５に基づいて説明する。
【００１２】
図１は、実施の一形態のＩＰ電話システムを示す概略図である。図１を参照すると、本実施の一形態としての構成は、主装置１と、パーソナルコンピュータ２と、ＩＰ電話装置３ないし５と、外部記憶装置６とから成っている。
【００１３】
主装置１は、電話装置設定情報や登録情報を含む電話装置データベース７を内蔵して、ＩＰ電話システム用ネットワーク１３を経由して接続されるＩＰ電話装置の管理を行なう。尚、ＩＰ電話用ネットワーク１３への接続は、物理的な接続と、論理的な接続の両方が必要であり、論理的な接続にはネットワーク設定が必要である。
【００１４】
ＩＰ電話用ネットワーク１３については、有線ＬＡＮや無線ＬＡＮで構成してもよいし他のＩＰ電話を実現できるネットワークで構成しても良い。また、図１に示す様に有線と無線の混成でもよい。
【００１５】
電話装置データベース７には、接続されたＩＰ電話装置を個別に管理する為、ＩＰ電話装置の内線番号、ＩＰアドレス、ＭＡＣアドレス、その他ＩＰ電話装置データなど、多くの情報が格納される。その他ＩＰ電話装置データとは、例えばＩＰ電話装置の種別や、オプション設定、利用者情報、短縮ダイアルの設定などである。
【００１６】
パーソナルコンピュータ（パソコン）２は、設定データベース８を内蔵し、設定データベース８を用いてＩＰ電話システムに接続されるＩＰ電話装置群のネットワーク設定情報や電話装置設定情報等の編集と管理を行なう。また、パソコン２は、外部記憶装置用インタフェース部９を具備する。外部記憶装置用インタフェース部９は、例えば、ＵＳＢ規格やＳＤカード規格など、使用する外部記憶装置の規格に沿ったインタフェースである。
【００１７】
ネットワーク設定情報とは、ＩＰ電話装置毎のネットワーク接続に必要な設定情報であり、例えばホスト名や、ＩＰアドレス、ゲートウェイアドレス、サブネットマスク、プロトコル、ポート番号、ＤＮＳアドレスなどである。  
電話装置設定情報とは、ＩＰ電話装置に設定されるＩＰ電話システム内で用いる情報であり、例えば、内線番号や、ＩＰ電話装置がＩＰ電話システムに接続する為の電話システムサーバのアドレス、認証ＩＤ、パスワード、オプション設定、利用者情報、短縮ダイアルの設定など、各種機能を有効にする設定情報である。また、ＩＰ電話装置のＭＡＣアドレスを記録しても良い。
【００１８】
設定データベース８は、ＩＰ電話システムの管理者によって、パソコン２を用いて作成される。
【００１９】
外部記憶装置６は、外部記憶装置用インタフェース部９の規格に準拠した外部記憶装置である。外部記憶装置６には、設定データベース８のデータを設定データベース１２として外部記憶装置６の記憶領域（図示せず）にコピー可能である。記憶領域は、記録できるデータサイズがパソコン２の設定データベース８のサイズよりも大きいものを用意する。記憶領域には、設定データベース８のコピーである設定データベース１２が格納される。
外部記憶装置６は、パソコン２によって作成された設定データベース８を記憶領域にコピーすることで、設定データベース１２として設定内容の持ち運びを容易にすると共に、ＩＰ電話装置からの設定内容へのアクセスを可能にする。  
外部記憶装置６は、例えば、ＵＳＢメモリやＳＤカードなどのフラッシュメモリを用いた外部記憶装置が好適である。しかし、外部記憶装置としてＨＤＤや、短距離無線通信規格（例えばBluetooth（登録商標）やＩｒＤＡ）に準拠した外部記憶装置を用いることも可能である。尚、外部記憶装置６は、汎用品に限定するものではない。例えば、既存の規格のコネクタ形状を変更したものでも良い。この場合は、ＩＰ電話装置群の外部記憶装置用インタフェース部も同様に変更すれば良い。
【００２０】
ＩＰ電話装置３は、外部記憶装置６との接続に使用する第１のインタフェース部である外部記憶装置用インタフェース部１０と、ネットワークとの接続に使用する第２のインタフェース部であるネットワーク用インタフェース部１１とを有する。また、ＩＰ電話装置３は、第１のインタフェース部１０を介して外部記憶装置６を接続可能であり、接続した外部記憶装置６の設定データベース１２にアクセス可能である。  
ＩＰ電話装置３は、ハンドセットや、液晶画面等を用いた表示部１４、ボタン等を利用した操作部１５などの入出力部を具備している。ＩＰ電話装置４、ＩＰ電話装置５も、ＩＰ電話装置３と同様に外部記憶装置用インタフェース部を備えたＩＰ電話装置である。
【００２１】
図２は、ＩＰ電話装置３の構成を示す機能ブロック図である。  
ＩＰ電話装置３は、各種演算処理や制御を行う制御部２０、情報を記憶保持する記憶部２１、外部記憶装置用インタフェース部１０、ネットワーク用インタフェース部１１を有する。また、ＩＰ電話装置３は、一般的なＩＰ電話と同様に、ＲＯＭ、コーデック、入出力部を備える。
【００２２】
制御部２０は、ＩＰ電話システムの導入時やＩＰ電話装置の移設時などの場合でＩＰ電話装置の内部設定を行なう場合に、外部記憶装置用インタフェース部１０に接続される外部記憶装置６から、ネットワーク設定情報及び電話装置設定情報等が記憶される設定データベース１２にアクセスして情報を取得し、取得した情報に基づいて、記憶部２１に設定情報を記録したりして設定処理する。  
その後、設定したネットワーク設定情報に基づき、ネットワーク用インタフェース部１１を介して主装置１にアクセスし、設定した内容の確認を実施する。
【００２３】
このとき、制御部２０は、外部記憶装置６に、ネットワーク設定情報や電話装置設定情報と共に登録フラグが設定されていた場合には、登録フラグを参照して、未登録の情報を用いて内部設定を行なうようにしても良い。
【００２４】
制御部２０は、主装置１にアクセスして行なう設定した内容の確認として、主装置１に対して、設定した電話装置設定情報等を通知するようにしても良い。
【００２５】
このとき、主装置１は、新規に接続したＩＰ電話装置３の内線番号等の設定内容が未だ電話装置データベース７に登録がなければ、その設定内容を登録し、登録したＩＰ電話装置に対し、登録完了の信号を送信するようにする。  
登録完了の信号を受信したＩＰ電話装置３は、外部記憶装置６にアクセスして設定データベース１２内の自内線番号項目の登録フラグに登録完了のフラグを立てると共に、ＩＰ電話装置の設定を完了した旨を表示部１４に表示する。その後、外部記憶装置６が取り外されると、ＩＰ電話装置３は、設定された情報に基づくＩＰ電話として動作を開始する。
【００２６】
他方、主装置１に新規に接続したＩＰ電話装置３の設定内容（内線番号やＩＰアドレス等）が既に別のＩＰ電話装置によって電話装置データベース７に登録されていた場合、主装置１は、干渉するＩＰ電話装置があることを、ＩＰ電話装置３に通知する。一例としては、干渉するＩＰ電話装置が登録されている場合に、主装置１は、ＩＰ電話装置３に対して、既に登録されているＩＰ電話装置の電話装置データベースに格納されている情報を送信する。
【００２７】
また、制御部２０は、主装置１にアクセスして行なう設定した内容の確認として、主装置１に記憶保持されている電話システムのデータベース（電話装置データベース７）を参照して、干渉する登録データの有無を確認するようにしても良い。
【００２８】
制御部２０は、設定の確認の結果、干渉するＩＰ電話装置がある場合に、設定したネットワーク設定情報や電話装置設定情報を初期化するようにしても良い。  
例えば、先に例示したように、主装置１から、干渉するＩＰ電話装置の情報を受信した場合、ＩＰ電話装置３は、既登録されているＩＰ電話装置のネットワーク設定データを表示部に表示すると同時に既登録されているＩＰ電話装置の設定を『リセットする』か『そのままにする』かを表示し、操作部で操作者に選択させる。『そのままにする』を選択すると、ＩＰ電話装置３の設定情報をリセットして初期状態に戻し、ネットワーク設定等を手動で設定するのかそれとも設定データベースに基づき自動で他の設定を行うか再度操作者に選択させるようにすればよい。
【００２９】
他方、既登録されているＩＰ電話装置の設定を『リセットする』を選択すると、主装置に対して既登録されているＩＰ電話装置をリセットするよう要求信号を出すようにすればよい。  
即ち、制御部２０は、設定の確認の結果、干渉するＩＰ電話装置がある場合に、干渉相手のＩＰ電話装置である既登録ＩＰ電話装置の設定を初期化する要求を主装置１に通知するようにしても良い。
【００３０】
このとき、要求信号を受けた主装置１は、該当ＩＰ電話装置（リセットするように指示されたＩＰ電話装置）に設定リセット信号を送信し、同時的に電話装置データベースの該当ＩＰ電話装置情報をクリアする。このとき、設定リセット信号を受信したＩＰ電話装置は、指定された内部設定をリセットする。  
また、主装置１は、リセット信号送信後、リセットした旨の信号を、ＩＰ電話装置３に通知する。
【００３１】
リセットした旨の信号を受信したＩＰ電話装置３は、該当ＩＰ電話装置をリセットしたこととＩＰ電話装置の設定を完了した旨を表示部に表示する。また、ＩＰ電話装置３は、外部記憶装置にアクセスして設定データベース１２内の自設定内容の登録フラグに登録完了のフラグを立てる。  
その後、外部記憶装置６が取り外されると、ＩＰ電話装置３は、設定された情報に基づくＩＰ電話として動作を開始する。
【００３２】
ここで、ＩＰ電話システム導入を例示して、ＩＰ電話装置３の動作を説明する。  
ＩＰ電話システム導入の際は、パソコン２で作成した設定データベース８を外部記憶装置６の記憶領域に設定データベース１２としてコピーすることで、ＩＰ電話装置３が外部記憶装置６の設定データベース１２を参照可能にし、ＩＰ電話装置３の内部設定を実施する。
【００３３】
外部記憶装置６が接続されたＩＰ電話装置３は、ネットワーク設定を手動で設定するのか、それとも設定データベースに基づき自動でネットワーク設定を行うのか選択可能にする。操作者が操作部１５を用いて操作を行なって手動設定が選択された場合には、ＩＰ電話装置３は、ＩＰアドレス等のネットワーク設定を、操作部１５を介して手動で入力された情報に従い設定処理する。
【００３４】
他方、自動で設定を行なう選択をされた場合は、ＩＰ電話装置３は、設定データベースに記録されている設定内容を内部設定する。また、設定データベースに複数の設定内容が記録されている場合には、操作者に選択させるようにすれば良い。
【００３５】
一例としては、自動ネットワーク設定が選択された場合には、ＩＰ電話装置３は、操作部１５から入力された内線番号（操作者によって指定された内線番号）に一致する、外部記憶装置６の設定データベースにある内線番号の登録フラグを確認し、未登録であれば、対応する設定内容（ネットワーク設定情報と電話装置設定情報）を自動的に取得して記憶部２１に設定保存する。他方、内線番号が登録済みであれば、ＩＰ電話装置３は、入力した内線番号は登録済みである旨を表示部１４に表示して、ネットワーク設定を手動で設定するか自動で設定するかの選択に戻る。  
尚、操作者によって指定される内線番号に変えて、ＩＰ電話装置３のＭＡＣアドレスに基づき、ネットワーク設定を自動設定しても良い。
【００３６】
上記動作でネットワーク設定を終えたＩＰ電話装置３は、ネットワークに接続するとともにＩＰ電話システムの主装置１に接続して、内容の確認を実施する。（尚、このときもＩＰ電話装置３に外部記憶装置６が接続された状態である。）
【００３７】
ＩＰ電話装置３は、電話装置データベース７と設定データベース１２間で矛盾がないか確認を実施し、結果を設定データベース１２に反映する。このとき、電話装置データベース７と設定データベース１２の間で矛盾がある場合はＩＰ電話装置３を操作して、主装置１に矛盾があったＩＰ電話装置に対し設定データを無効とするコマンドを送付して矛盾を取り除いてもよいし、自己の設定を初期化して矛盾を取り除いてもよい。
【００３８】
尚、登録完了フラグの変更があった外部記憶装置６内の設定データベース１２は、再度パソコンに外部記憶装置を接続することでパソコン内の設定データベース８に変更内容のコピーを行うことができ、パソコンで設定状況の管理に使用できる。
【００３９】
ここで、設定データベースと電話装置データベースとの一例を示し、実施の一形態を説明する。
【００４０】
図３は、設定データベース８のテーブル構成を可視的に示す図である。図に示すように設定データベース８は、内線番号を基準にしてネットワーク設定情報と、電話装置設定情報を格納する。また、内線番号それぞれに登録フラグの項目があり、初期値を『0』として、使用済みの内線番号を『1』にする。  
図３に示す例では、内線番号0001から５個の設定内容が登録フラグ『0』として記載されている。
【００４１】
図４は、電話装置データベース７のテーブル構成を可視的に示す図である。図に示すように、電話装置データベース７には、主装置１に接続しているＩＰ電話装置の内線番号、ＩＰアドレス、ＭＡＣアドレス、その他ＩＰ電話装置データが格納されている。
【００４２】
なお、上記実施例では、電話装置データベース７、設定データベース８及び設定データベース１２において基準となるパラメータを内線番号としているが、内線番号を基準とせずに他の項目を基準としても良い。例えば、固定ＩＰアドレスやＭＡＣアドレス、設定データの番号などが挙げられる。
【００４３】
次に、ＩＰ電話装置の設定動作時の動作例を示し、ＩＰ電話システム全体の動作を説明する。尚、図３、４に示したデータベース情報を使用するものとする。
【００４４】
図５は、設定動作時のＩＰ電話装置３の動作を示すフローチャートである。ＩＰ電話装置３は、操作者によって設定処理を開始される。
【００４５】
設定処理開始後、ＩＰ電話装置３は、処理１で図１に示した外部記憶装置６の接続の有無を判断する。このとき、関係ない外部記憶装置（設定データベースが記憶されていない外部記憶装置）が接続されも設定処理を開始しないように、外部記憶装置に設定データベース１２の存在を合わせて判断する。
【００４６】
外部記憶装置６が接続されていない場合（Ｎｏの場合）、ＩＰ電話装置３は、手動入力モードに移行して自動設定処理を終了する。
【００４７】
外部記憶装置６が接続されている場合（Ｙｅｓの場合）、ＩＰ電話装置３は、処理２及び処理３に進みネットワーク設定を自動で行うか手動で行うかを操作者に選択させる。ここで、ネットワーク設定を自動で行う場合、操作者は、処理３で自動設定することを、ＩＰ電話装置３に入力する。
【００４８】
ＩＰ電話装置３は、処理４により手動での設定が選択された場合（Ｎｏの場合）、手動入力モードに移行して自動設定処理を終了する。他方、処理４により自動での設定が選択された場合（Ｙｅｓの場合）、ＩＰ電話装置３は、処理５に進み、操作者にＩＰ電話装置３の設定予定の内線番号を入力させる。
【００４９】
ＩＰ電話装置３は、処理６で外部記憶装置６の設定データベース１２に入力された内線番号があるか否かを判断する。
【００５０】
ＩＰ電話装置３は、入力された内線番号がない場合（Ｎｏの場合）には処理５の内線番号処理に戻り、内線番号が在る場合（Ｙｅｓの場合）には次処理に進む。
【００５１】
内線番号が存在した場合、ＩＰ電話装置３は、処理７で設定データベース１２の登録フラグを確認する。ＩＰ電話装置３は、入力された内線番号の登録フラグが『1』であれば（Ｎｏの場合）入力した内線番号は登録済みである旨表示（処理１２）し、処理開始時に戻る。他方、入力された内線番号の登録フラグが『0』であれば（Ｙｅｓの場合）、ＩＰ電話装置３は、処理８に進み、設定データベース１２の内線番号に対応する設定データを、記憶部２１に記録保存して、処理９でネットワーク接続設定を実行する。
【００５２】
ＩＰ電話装置３は、処理１０で、設定データ（例えば電話システムサーバアドレス）を用いて、主装置１に接続（ネットワーク設定の完了を通知）する。また、ＩＰ電話装置３は、必要に応じて調査に必要となる電話装置設定情報（内部設定した内容）を送信する。
【００５３】
主装置１は、ＩＰ電話装置３の接続を受けて、電話装置データベース７を参照し、ＩＰ電話装置３が設定した内線番号等が、既に登録済みか否か調査（確認）し、ＩＰ電話装置３に通知する。調査（確認）は、予め電話装置データベースに、登録されるだろう電話装置設定情報が記録されていた場合に、実際にＩＰ電話装置に登録されて、ＩＰ電話装置から送信された電話装置設定情報の全て又は一部の一致（妥当性）を見ればよい。
【００５４】
このとき主装置１は、新規に接続したＩＰ電話装置の内線番号等の設定データが未だ電話装置データベース７に登録がなければそのまま登録し、登録したＩＰ電話装置に対し、登録完了の信号を送信する。尚、この調査は、ＩＰ電話装置３が電話装置データベース７に直接アクセスして調査（確認）するようにもできる。
【００５５】
ＩＰ電話装置３は、処理１１の調査（確認）で電話装置データベース７に登録がなければ（Ｎｏ）、処理１３に進み、設定した内線番号に対する設定データベース１２の該当登録フラグを『1』に変更し、自動設定の処理を終了する。
【００５６】
他方、ＩＰ電話装置３は、既に電話装置データベース７に内線番号等の登録がある場合（Ｙｅｓ）には、処理１４に進む。
【００５７】
ＩＰ電話装置３は、処理１４で、主装置１から既登録された対象のＩＰ電話装置情報を取得し、取得した情報を表示部１４に表示する。
【００５８】
ＩＰ電話装置３は、処理１５で、既登録ＩＰ電話装置設定のリセットを行うか否かの選択の為の表示を行なうと共に、処理１６で、操作者によるリセットの可否の選択を受け付け、処理１７でリセットの可否を判断する。
【００５９】
このとき、操作者は、既登録ＩＰ電話装置設定のリセットの可否を判断して、何れかを入力する。
【００６０】
リセットを行なわない場合（Ｎｏの場合）、ＩＰ電話装置３は、処理１８に進み、処理８で保存した設定データをリセットして処理開始に戻る。
【００６１】
他方、リセットを実施する場合（Ｙｅｓの場合）、ＩＰ電話装置３は、処理１９に進み、主装置１に既登録ＩＰ電話装置設定のリセット要求を通知する。
【００６２】
主装置１が要求に基づき既登録ＩＰ電話装置のリセットを実施すると、その結果が送信されてくるので、ＩＰ電話装置３は、処理２０により受信し、処理２１で既登録ＩＰ電話装置設定のリセットを操作者に通知し、処理１３に進む。
【００６３】
ＩＰ電話装置３は、処理１３で設定データベース１２内の処理８で保存した設定データに対応する登録フラグを『1』にして、自動設定処理を終了する。
【００６４】
このように、本実施の一形態のＩＰ電話システムは、設定内容（データ）を外部記憶装置６に保存して、ＩＰ電話装置のネットワーク設定を外部記憶装置６から入力することにより簡単にＩＰ電話装置の設定ができる。
【００６５】
また、主装置１に登録される設定が重複しないようチェックして、特定のＩＰ電話装置に対し設定データを無効にできるので、設定データの管理が容易且つ誤り無く可能になる。
【００６６】
これは、ＩＰ電話装置への内線番号等の割当を人為的に行なう場合に、設置台数の増加とともに増える誤設定による登録を無くせる。加えて、誤設定の修正を容易に行なえる。
【００６７】
また、ＤＨＣＰを用いずに、ネットワーク設定を行うことも可能となる為、例えば、固定ＩＰアドレスの設定や、フロア毎のサブネットマスクの設定などの詳細な設定が可能となる。
【００６８】
以上説明したように、本発明によれば、ネットワーク設定情報をデータベース化して外部記憶装置に保存しているので、外部記憶装置用インタフェース部を具備したＩＰ電話装置が容易にデータベースを参照して、ネットワーク設定及び電話装置設定を実施できる。
【００６９】
また、主装置の電話装置データベース上の登録データとＩＰ電話装置の設定データを比較しているので、ネットワーク設定の重複を防ぐことが可能となる。
【００７０】
更に、ＩＰ電話装置がネットワーク設定の為に参照したデータベースのフラグを変更しているので、内部設定の重複を防ぐことが可能となる。
【００７１】
更に、データベースのフラグを変更しているのでＩＰ電話システム導入時などにパソコンから電話装置設置状況の管理が容易に出来ることにある。
【００７２】
即ち、本発明によれば、ＩＰ電話システムに接続するＩＰ電話装置の詳細なネットワーク設定を自動的に設定できるＩＰ電話システムを提供できる。
【００７３】
また、本発明によれば、ＩＰ電話システムに接続するＩＰ電話装置の設定と確認を容易にできるＩＰ電話システムを提供できる。
【００７４】
尚、上記説明では、ＩＰ電話装置は、外部記憶装置が挿された後、操作者の選択行為によって、自動又は手動で設定を開始することとして記載したが、外部記憶装置が挿されたことを認識した場合に、自動的に設定を開始するようにしても良い。
【００７５】
また、ＩＰ電話装置は、外部記憶装置のシリアルＮｏなどを用いて、特定の外部記憶装置のみを識別するようにしても良い。
【図面の簡単な説明】
【００７６】
【図１】実施の一形態のＩＰ電話システムを示す概略図である。
【図２】ＩＰ電話装置３の構成を示す機能ブロック図である。
【図３】設定データベース８のテーブル構成を可視的に示す図である。
【図４】電話装置データベース７のテーブル構成を可視的に示す図である。
【図５】設定動作時のＩＰ電話装置３の動作を示すフローチャートである。
【符号の説明】
【００７７】
１    主装置
２    パーソナルコンピュータ
３、４、５  ＩＰ電話装置
６    外部記憶装置
７    電話装置データベース
８    設定データベース
９    外部記憶装置用インタフェース部
１０  外部記憶装置用インタフェース部（第１のインタフェース部）
１１  ネットワーク用インタフェース部（第２のインタフェース部）
１２  設定データベース
１３  ＩＰ電話用ネットワーク
２０  制御部
２１  記憶部
【図１】
2010147837.tif 000003
【図２】
2010147837.tif 000004
【図３】
2010147837.tif 000005
【図４】
2010147837.tif 000006
【図５】
2010147837.tif 000007